(57)【要約】【課題】この発明は上端角部の曲率半径を小さくすることができるようにしたベッド用側柵を提供することにある。【解決手段】枠体１２と、この枠体に設けられた脚体１６とを有し、この脚体によって上記ベッドの側部に取り付けられる側柵において、上記枠体は、パイプ材をほぼＵ字状に曲成して下辺部１３ａ及びこの下辺部の両端に一対の側辺部１３ｂが形成されているとともに、一対の側辺部の上端にはそれぞれＬ字状の継ぎ手１４が一端部を嵌合させて設けられ、一対の継ぎ手の他端部にはパイプ材からなる上辺部１３ｃの端部がそれぞれ嵌合させて設けられてなる。【選択図】    図２
2004321679.tif 000002
【特許請求の範囲】
【請求項１】
枠体と、この枠体に設けられた脚体とを有し、この脚体によって上記ベッドの側部に取り付けられる側柵において、
上記枠体は、パイプ材をほぼＵ字状に曲成して下辺部及びこの下辺部の両端に一対の側辺部が形成されているとともに、一対の側辺部の上端にはそれぞれＬ字状の継ぎ手が一端部を嵌合させて設けられ、一対の継ぎ手の他端部にはパイプ材からなる上辺部の端部がそれぞれ嵌合させて設けられることを特徴とするベッド用側柵。
【請求項２】
上記継ぎ手の他端部は内管と外管との二重管構造となっていて、上記内管と外管との間の部分には係止片が設けられ、上記上辺部の端部は上記内管と外管との間の部分に挿入されるとともに、その上辺部の端部には上記係止片に係合する係合部が端面に開放して形成されていることを特徴とする請求項１記載のベッド用側柵。
【請求項３】
ベッドフレームと、このベッドフレームの側部に着脱可能かつ所定の間隔で並んで設けられる複数の側柵とを有し、
上記側柵は請求項１に記載された構成であることを特徴とするベッド装置。
【発明の詳細な説明】
【０００１】
【発明の属する技術分野】
この発明はベッドフレームの側部に設けられるベッド用側柵及びベッドフレームの側部に複数の側柵が設けられるベッド装置に関する。
【０００２】
【従来の技術】
たとえば、介護用などのベッドにおいては、ベッド上から利用者が落下したり、利用者に掛けられた寝具が落下するのを防止するためなどに、ベッドの側部に側柵を設けることができるようにしている。通常、上記側柵は、上記ベッドの側部のサイドフレームに形成された取り付け孔に着脱可能に取り付け、不要な場合には取り外すことができるようにしている。上記側柵の幅寸法は、ベッドの長さ寸法よりも短く形成され、必要に応じて複数の側柵をベッドのサイドフレームに取り付けるということが行なわれている。
従来、上記側柵はパイプ材を枠状に曲成して形成されている。パイプ材を曲成して形成された側柵は、加工上、コーナ部分の極率半径が大きくなるということが避けられなかった。
【０００３】
【発明が解決しようとする課題】
パイプ材を曲成して形成された複数の側枠を、ベッドフレームの側部に所定間隔で取り付けた場合、隣り合う側柵の上端角部の間隔がコーナ部の極率半径に比例して大きくなるということがある。
【０００４】
隣り合う側柵の角部間の間隔が大きくなると、この間隔から隣り合う側柵の側辺部間に利用者の身体や寝具などが入り込み易いということがある。そのため、隣り合う側柵の角部間の間隔をできるだけ小さくすることが要望されている。
【０００５】
この発明は、側柵の上端角部の極率半径を小さくできるようにしたベッド用側柵及びベッド装置を提供することにある。
【０００６】
【課題を解決するための手段】
この発明は、枠体と、この枠体に設けられた脚体とを有し、この脚体によって上記ベッドの側部に取り付けられる側柵において、
上記枠体は、パイプ材をほぼＵ字状に曲成して下辺部及びこの下辺部の両端に一対の側辺部が形成されているとともに、一対の側辺部の上端にはそれぞれＬ字状の継ぎ手が一端部を嵌合させて設けられ、一対の継ぎ手の他端部にはパイプ材からなる上辺部の端部がそれぞれ嵌合させて設けられることを特徴とするベッド用側柵にある。
【０００７】
上記継ぎ手の他端部は内管と外管との二重管構造となっていて、上記内管と外管との間の部分には係止片が設けられ、上記上辺部の端部は上記内管と外管との間の部分に挿入されるとともに、その上辺部の端部には上記係止片に係合する係合部が端面に開放して形成されていることが好ましい。
【０００８】
この発明によれば、側柵の枠体の上辺部を側辺部に継ぎ手によって連結して設けるようにしたため、パイプ材を湾曲して上辺部を形成する場合に比べ、側柵の上端角部の極率半径を小さくすることが可能となる。
【０００９】
【発明の実施の形態】
以下、図面を参照しながらこの発明の一実施の形態を説明する。
【００１０】
図１はベッド装置を示し、このベッド装置はベースフレーム１を備えている。このベースフレーム１にはベッドフレーム３が複数のリンク４によって上下動可能に設けられている。上記リンク４は上下駆動機構５によって駆動される。それによって、ベッドフレーム３は上下方向に移動可能となっている。つまり、ベッドフレーム３は高さを調整することができる。
【００１１】
上記ベッドフレーム３には長手方向一端にヘッドボード６ａ、他端にフットボード６ｂが設けられ、上面には床板７を介してマットレス８が載置される。床板７は複数の床部に分割されていて、そのうちの１つがベッドフレーム３に固定され、他の床部は背上げ機構９によって起伏させることができるようになっている。それによって、マットレス８上に仰臥した利用者は上半身を起こしたり、脚部を曲げることができるようになっている。
【００１２】
上記ベッドフレーム３の側部には２つの側柵１１が所定間隔で着脱可能に設けられる。この側柵１１は枠体１２を有する。この枠体１２はパイプ材をほぼＵ字状に曲成して下辺部１３ａ及びこの下辺部１３ａの両端から起立した一対の側辺部１３ｂとが一体形成されているとともに、一対の側辺部１３ｂの上端間にはＬ字状の継ぎ手１４によって上辺部１３ｃが架設されてなる。
【００１３】
一対の側辺部１３ｂの上端部間には第１の横補強部材１５が架設されている。この第１の横補強部材１５には一対の脚体１６が上端を固着して所定間隔で設けられている。脚体１６の枠体１２の下辺部１３ａから下方へ突出した下端部は他の部分よりの小径な差込み部１７に形成されている。
【００１４】
一対の脚体１６間と、一方の脚体１６と一方の側辺部１３ｂとの間にはそれぞれ第２の横補強部材１８が架設され、一対の脚体１６の上記下辺部１３ａから下方へ突出した下端部間には第３の横補強部材１９が架設されている。
【００１５】
上記ベッドフレーム３の側部には、一対の脚体１６と同じ間隔で複数の支持部２１が設けられ、一対の支持部２１に一対の脚体１６の下端部に形成された差込み部１７を挿入することで、側柵１１がベッドフレーム３の側部に着脱可能に取り付けられている。この実施の形態では、一対の側柵１１がベッドフレーム３の側部側辺部１３ｂを所定間隔で離間させて取り付けられている。
【００１６】
図３と図４（ａ），（ｂ）に示すように、上記継ぎ手１４の一端部には第１の挿入部２３が形成されている。この第１の挿入部２３は、二重管構造をなした第１の外管２４の内周面と、第１の内管２５の外周面との間に形成されている。
【００１７】
第１の外管２４の周壁には作業孔２６が形成されている。第１の内管２５の周壁には上記作業孔２６と対向する部位にめねじ孔２７が形成されている。上記第１の挿入部２３に挿入される上記枠体１２の側辺部１３ｂの周壁上端部には上記めねじ孔２７と対向する通孔２８が形成されている。
【００１８】
そして、上記第１の挿入部２３を上記側辺部１３ｂに嵌合させて取り付けられた継ぎ手１４は、上記作業孔２６から通孔２８を通して上記めねじ孔２７に螺合されるおねじ２９によって、上記側辺部１３ｂの上端に取り付け固定される。
【００１９】
上記継ぎ手１４の他端部は一端部と同様、第２の内管３１と第２の外管３２との二重管構造となっていて、これらの間に第２の挿入部３３が形成されている。第２の挿入部３３には枠体１２を形成する上辺部１３ｃの端部が挿入される。それによって、上辺部１３ｃは上記第１の横補強杆１５よりも上方の位置に、この第１の横補強杆１５と平行に設けられる。
【００２０】
上辺部１３ｃの両端部には図４（ｃ）に示すように係合部としての一対の凹部３４が周方向に１８０度ずれて形成され、上記第２の挿入部３３には上記凹部３４が係合する一対の係止片３５（図３に示す）が形成されている。
【００２１】
それによって、上辺部１３ｃは両端に設けられた一対の継ぎ手１４を介して枠体１２の一対の側辺部１３ｂ間に周方向に回転不能な状態で、しかも着脱可能に架設される。
【００２２】
この実施の形態では、上記上辺部１３ｃは、外周面に樹脂やゴムなどをコーティングしたパイプ材が用いられているが、図５に示すように、この上辺部１３ｃを形成するパイプに絞り加工を施すし、軸方向に環状の突部３６と凹部３７を交互に形成してもよい。それによって、利用者が把持したときに滑り難くすることができる。
【００２３】
このような構成のベッド装置によれば、ベッドフレーム３の側部に並設された一対の側柵１１は、側辺部１３ｂは下辺部１３ａに対して湾曲形成されているが、上辺部１３ｃは一対の継ぎ手１４によって一対の側辺部１３ｂの上端間に架設されている。
【００２４】
上辺部１３ｃを継ぎ手１４を用いて一対の側辺部１３ｂに架設することで、パイプを湾曲形成する場合に比べて側辺部１３ｂと上辺部１３ｃとがなす角部の曲率半径を小さくすることができる。つまり、パイプを湾曲形成すると、パイプの潰れや割れを防止するため、曲率半径を十分に小さくすることができないが、継ぎ手１４を用いることで、曲率半径を十分に小さくすることが可能となる。
【００２５】
そのため、ベッドフレーム３の側部に一対の側柵１１を所定間隔で取り付けた場合、図１に示すように一対の側柵１１の隣り合う上端角部の湾曲部分がなす間隔Ｇ１  を、下端部の湾曲部分がなす間隔Ｇ２  に比べて十分に小さくすることができる。
【００２６】
隣り合う一対の側柵１１の上端角部の間隔Ｇ１  を小さくできれば、その間隔Ｇ１  ら側辺部１３ｂ間に、利用者が身体の一部を不用意に挟むのを防止できるばかりか、寝具なども挟まり難くなる。
【００２７】
枠体１２の上辺部１３ｃを、一対の側辺部１３ｂに継ぎ手１４を介して取り付けるとともに、上記上辺部１３ｃの両端には凹部３４を形成し、継ぎ手３４には上記凹部３４が係合する係止片３５を設けた。
【００２８】
そのため、上辺部１３ｃは継ぎ手１４に対して周方向に回転することがないから、たとえば利用者がベッドに乗り降りするような場合に、上記上辺部１３ｃを把持しても、この上辺部１３ｃが回転しないため、利用者は安定した状態で確実に乗り降りすることができる。
【００２９】
上記枠体１２の上辺部１３ｃは継ぎ手１４によって一対の側辺部１３ｂに取り付けられている。そのため、継ぎ手１４を側辺部１３ｂから取り外すことで、上記上辺部１３ｃを、異なる色のものやゴムがコーティングされたもの、あるいは絞り加工されたものなど、利用者の好みなどに応じて交換することができる。
【００３０】
上記継ぎ手１４の一端部と他端部とをそれぞれ二重管構造にすることで、第１の挿入部２３と第２の挿入部３３とを形成し、各挿入部２３，３３に側辺部１３ｂの上端部及び上辺部１３ｃの端部を挿入するようにした。そのため、側辺部１３ｂや上辺部１３ｃの端面が継ぎ手１４によって隠され、外部に露出しないから、外観的に体裁がよい。
【００３１】
ベッドフレーム３の幅方向両側に設けられた側柵１１間には図示しないオーバヘッドテーブルが両端部を上記側柵１１に係合させて架設されることがある。その場合、オーバヘッドテーブルの両端部は上記側柵１１の上辺部１３ｃに係合させたり、第１の横補強杆１５に係合させて架設することができるから、どちらに係合させるかによってオーバヘッドテーブルの支持高さを利用者に合うよう二段階に変えることができる。
【００３２】
【発明の効果】
以上のようにこの発明によれば、側柵の枠体の上辺部を側辺部に継ぎ手によって連結するようにした。そのため、継ぎ手の曲率半径はパイプ材を湾曲した場合に比べて小さくできるから、ベッドフレームの側部に複数の側柵を所定間隔で取り付けた場合、隣り合う側柵の上端角部間の間隔を小さくすることができる。
【００３３】
隣り合う側柵の上端角部間の間隔を小さくできれば、側柵間にものが挟み込まれ難くなるから、使い勝手が向上するということがある。
【図面の簡単な説明】
【図１】この発明の一実施の形態を示す側柵が設けられたベッドの正面図。
【図２】（ａ）は側柵の正面図、（ｂ）は側柵の側面図。
【図３】継ぎ手の斜視図。
【図４】（ａ）は継ぎ手によって側柵の側辺部と上辺部とを連結した断面図、（ｂ）は上辺部の端部の平面図。
【図５】側柵の絞り加工が施された上辺部の一部を示す平面図。
【符号の説明】
１１…側柵、１２…枠体、１４…継ぎ手、１６…脚体、２４…第１の外管、２５…第１の内管、３１…第２の内管、３２…第２の外管、３４…凹部（係止部）、３５…係止片。
【図１】
2004321679.tif 000003
【図２】
2004321679.tif 000004
【図３】
2004321679.tif 000005
【図４】
2004321679.tif 000006
【図５】
2004321679.tif 000007